(57)【要約】【課題】  本発明は被掃除面のゴミを取りながら振動させることにより、掃除効率を極大化させることができる吸入口組立体およびそれを含んだ真空掃除機を提供する。【解決手段】  本発明に係る吸入口組立体は、駆動源から発生される吸引力によりゴミが吸込まれる吸入口が備えられたハウジングと、前記ハウジング上に回転自在に設けられ、外周面に前記吸入口を介して被掃除面と接触する第１ブラシ部材が備えられた回転ドラムと、前記第１ブラシ部材を振動させるための超音波発生装置とを含む。【選択図】      図２
2006297050.tif 000002
【特許請求の範囲】
【請求項１】
駆動源から発生される吸引力によりゴミが吸込まれる吸入口が備えられたハウジングと、
前記ハウジング上に回転自在に設けられ、外周面に前記吸入口を介して被掃除面と接触する第１ブラシ部材が備えられた回転ドラムと、
前記第１ブラシ部材を振動させるための超音波発生装置とを含むことを特徴とする真空掃除機の吸入口組立体。
【請求項２】
前記吸入口の前方に位置するよう前記ハウジングに設けられ、前記超音波発生装置により振動される第２ブラシ部材を更に含むことを特徴とする請求項１に記載の真空掃除機の吸入口組立体。
【請求項３】
前記超音波発生装置は、
所定周波数の超音波信号を出力する超音波発振部と、
前記超音波発振部から出力された信号により振動しながら第１および第２ブラシ部材それぞれを振動させる第１および第２超音波振動子とを含むことを特徴とする請求項２に記載の真空掃除機の吸入口組立体。
【請求項４】
前記第１ブラシ部材は前記回転ドラムの外周面上に螺旋状で形成され、前記第１超音波振動子は前記回転ドラムの内部に前記第１ブラシ部材に沿って形成されることを特徴とする請求項３に記載の真空掃除機の吸入口組立体。
【請求項５】
吸引力を発生させる駆動源が備えられる掃除機本体と、
前記掃除機本体と空気疎通できるように連結され、前記駆動源の吸引力によりゴミが吸込まれる吸入口が形成されたハウジングと、
前記ハウジングに回転自在に設けられ、外周面に前記吸入口を介して被掃除面に接触する第１ブラシ部材が設けられる回転ドラムと、
前記吸入口の前方に位置するよう前記ハウジングに設けられる第２ブラシ部材と、
前記第１および第２ブラシ部材を振動させるための超音波発生装置とを含むことを特徴とする真空掃除機。
【請求項６】
前記超音波発生装置は、
所定周波数の超音波信号を出力する超音波発振部と、
前記超音波発振部から出力された信号により振動しながら前記第１および第２ブラシ部材それぞれを振動させる第１および第２超音波振動子とを含むことを特徴とする請求項５に記載の真空掃除機。
【請求項７】
前記第１ブラシ部材は前記回転ドラムの外周面上に螺旋状で形成され、前記第１超音波振動子は前記回転ドラムの内部に前記第１ブラシ部材に沿って形成されることを特徴とする請求項６に記載の真空掃除機。
【発明の詳細な説明】
【技術分野】
【０００１】
本発明は、真空掃除機に関し、詳細には掃除効率を向上させるための超音波発生装置を備えた吸入口およびそれを含んだ真空掃除機に関する。
【背景技術】
【０００２】
一般に真空掃除機は、吸引力を発生させる吸入モータが備えられた掃除機本体と、前記掃除機本体の下側に所定の角度回動自在に設けられ、前記吸入モータからの吸引力により被掃除面のゴミを吸入する吸入口組立体を備える。
【０００３】
そして、前記吸入口組立体は、被掃除面と向かい合う吸入口が形成されたハウジングと、前記ハウジング上に回動自在に設けられて前記吸入口を介して被掃除面と接するブラシ部材が植毛された回転ドラムを含む。
【０００４】
前記回転ドラムは、別の駆動モータまたは前記吸入モータの吸引力により回転する。前記回転ドラムが回転すれば、前記回転ドラムの外周面に植毛された前記ブラシ部材は被掃除面からゴミを分離および遊動させる。このように、ブラシ部により分離および遊動されたゴミは前記吸入口を介して吸込まれる。
【０００５】
しかし、ゴミが被掃除面により堅固に固着された場合、前記ブラシ部材により被掃除面からゴミを分離するためにはその限界がある。このような理由でブラシ部材を振動させるための超音波振動器を備えた掃除機が韓国公開特許２０００−８６６７号に開示される。開示された韓国公開特許公報によると、超音波振動器が掃除ブラシ部材を振動させ底面のゴミ分離が容易に除去される。しかし、前記掃除ブラシは、単に被掃除面のゴミを振動させる構造であって、被掃除面からゴミを分離させるためには限界がある。
【発明の開示】
【発明が解決しようとする課題】
【０００６】
本発明は前述した問題点を解決するために案出されたもので、本発明の目的は、被掃除面のゴミを取りながら振動させ、掃除効率を極大化させることのできる吸入口組立体およびそれを備えた真空掃除機を提供することにある。
【０００７】
本発明の他の目的は、被掃除面およびブラシ部材からゴミを容易に分離することのできる吸入口組立体およびそれを備えた真空掃除機を提供することにある。
【課題を解決するための手段】
【０００８】
前述の目的を達成するための本発明に係る吸入口組立体は、駆動源から発生される吸引力によりゴミが吸込まれる吸入口が備えられたハウジングと、前記ハウジング上に回転自在に設けられ、外周面に前記吸入口を介して被掃除面と接触する第１ブラシ部材が備えられた回転ドラムと、前記第１ブラシ部材を振動させるための超音波発生装置とを含む。
【０００９】
本発明の一実施の形態によると、第２ブラシ部材が、前記吸入口の前方に位置するよう前記ハウジングに設けられ、第２ブラシ部材は、前記超音波発生装置により振動される。そして、前記超音波発生装置は、所定周波数の超音波信号を出力する超音波発振部と、前記超音波発振部から出力された信号により振動しながら第１および第２ブラシ部材それぞれを振動させる第１および第２超音波振動子とを含む。一方、前記第１ブラシ部材は前記回転ドラムの外周面上に螺旋状で形成され、前記第１超音波振動子は前記回転ドラムの内部に前記第１ブラシ部材に沿って形成される。
【００１０】
一方、前述した目的は、吸引力を発生させる駆動源が備えられる掃除機本体と、前記掃除機本体と空気疎通できるように連結され、前記駆動源の吸引力によりゴミが吸込まれる吸入口が形成されたハウジングと、前記ハウジングに回転自在に設けられ、外周面に前記吸入口を介して被掃除面に接触する第１ブラシ部材が設けられる回転ドラムと、前記吸入口の前方に位置するよう前記ハウジングに設けられる第２ブラシ部材と、前記第１および第２ブラシ部材を振動させるための超音波発生装置とを含む真空掃除機により達成される。
【発明の効果】
【００１１】
本発明によると、超音波振動子の振動により被掃除面およびブラシ部材からゴミを容易に分離および遊動させることができるため掃除効率を向上させ得る。
【００１２】
特に、回転ドラムに植毛された第１ブラシ部材を振動させて被掃除面のゴミを取りながら振動させることにより掃除効率をさらに向上させる。
【００１３】
また、第２ブラシ部材を振動させて一次的に吸入口に達する前に被掃除面のゴミを振動させることにより掃除効率をさらに向上させる。
【００１４】
また、ブラシ部材に固着されたゴミなどを振動により分離および除去させることによって、便利に使用できるのみならず、超音波振動子から発生する音波により被掃除面、吸込まれるゴミ、およびブラシ部材の殺菌作用も行うことができる。
【発明を実施するための最良の形態】
【００１５】
以下、添付の図面に基づいて本発明の好適な実施形態を詳述する。
【実施例】
【００１６】
図１ないし図４に示したように、本発明の一実施の形態による真空掃除機は、掃除機本体１０、掃除機本体１０と空気疎通が可能に掃除機本体１０の下部に備えられた吸入口組立体２０を含む。
【００１７】
掃除機本体１０には、吸引力を発生させるための駆動源１２が下側に備えられており、上側には駆動減１２から発生された吸引力により吸込まれたゴミを集塵する集塵室１４が設けられている。
【００１８】
吸入口組立体２０は、ハウジング２２、回転ドラム２６、第１および第２ブラシ部材３０、３２、および超音波発生装置４０（図３参照）を含む。
【００１９】
ハウジング２２の下面、すなわち、被掃除面と向かい合う面には駆動源１２から発生された吸引力により被掃除面のゴミが吸込まれる吸入口２４が設けられる。そして、ハウジング２２には、前記吸込まれたゴミを吸入口２４から集塵室１４に移動させるための流路（図示せず）が形成される。
【００２０】
回転ドラム２６はハウジング２２に回転自在に設けられ、吸入口２４を介して外部に露出される。そして、回転ドラム２６の一方には回転ドラム２６を回転させるための駆動ベルト２８が連結されている。駆動ベルト２８は別の駆動モータ（図示せず）により駆動されるか、吸込まれる空気により回転するタービン組立体などに連結されて駆動される。
【００２１】
第１ブラシ部材３０は回転ドラム２６に斜線状で設けられる。第１ブラシ部材３０は回転ンドラム２６の外周面から突出されて吸入口２４を通じて被掃除面と接する。係る構造で回転ドラム２６が回転すれば、第１ブラシ部材３０は被掃除面のゴミを被掃除面から分離または遊動させる。
【００２２】
そして、被掃除面から分離および遊動されたゴミは吸引力により吸入口２４へ吸込まれる。
【００２３】
第２ブラシ部材３２は、吸入口２４の前方（Ｆ）に位置するようにハウジング２２に設けられる。このように第２ブラシ部材３２が吸入口２４の前方（Ｆ）に位置させることにより、第２ブラシ部材３２は、吸入口組立体２０が進む時且つ吸入口２４がゴミに至る前に、ゴミを被掃除面から分離および遊動させることができる。
【００２４】
超音波発生装置４０は、電源供給部４２、超音波発振部４６、および超音波振動子４８を含んでなる。
【００２５】
電源供給部４２は真空掃除機の電源を用いる。あるいは超音波発生装置４０のための別の電源装置が設けられ得る。
【００２６】
超音波発振部４６は電源供給部４２と電気的に接続され、電源供給部４２から電源を受けて所定周波数の信号を出力する。前記所定周波数は、ゴミ分離または殺菌作用に至って行われるが、ほぼ５００Ｈｚから数万Ｈｚ程度であることが好ましい。しかし、超音波発振部４６から出力される信号の周波数および振幅は掃除が行われるべき場所およびゴミの種類に応じて多様に変形できる。このような超音波発振部４６は、高周波電圧を水晶板に加えて共振させる水晶発振器であるか、金属が磁化するときに歪む現象を用いた磁気変形発振器である。
【００２７】
超音波振動子４８は、超音波発振部４６から出力される信号に応じて振動し、圧電素子などが用いられる。超音波振動子４８は第１ブラシ部材３０を振動するための第１超音波振動子４８ａと第２ブラシ部材３２を振動するための第２超音波振動子４８ｂを含む。
【００２８】
第１超音波振動子４８ａは、図３に示したように、第１ブラシ部材３０に効率よく振動伝達を行うよう回転ドラム２６内に第１ブラシ部材３０に沿って設けられる。そして、第１超音波振動子４８ａは、回転ドラム２６と共に回転するため、超音波発振部４６とブラシ４４により電気的に接続される。このように、回転する回転ドラム２６の外周面に設けられた第１ブラシ部材３０が振動しながら被掃除面のゴミを振動させるだけでなく、第１ブラシ部材３０が回転しながら被掃除面のゴミをとることにより掃除効率を極大化させることができる。
【００２９】
第２超音波振動子４８ｂは、第２ブラシ部材３２の一面に形成され、超音波発振部４６と電気的に接続される。
【００３０】
第１および第２超音波振動子４８ａ、４８ｂは、第１および第２ブラシ部材３０、３２を振動させるのみならず所定周波数の音波を形成させる。係る音波により被掃除面および被掃除面から吸込まれたゴミおよびブラシ部材３０，３２に至るまで殺菌作用を行う。
【００３１】
以下、本発明の一実施の形態に係る動作を説明する。
【００３２】
まず、ユーザが真空掃除機の電源をＯＮさせ掃除作業を開示すると、電源供給部４２は超音波発振部４６に電源を印加する。すると、超音波発振部４６は所定周波数の信号を出力する。超音波発振部４６により出力された信号はブラシ４４を通じて第１超音波振動子４８ａを振動させ、第１超音波振動子４８ａは第１ブラシ部材３０を振動させる。すると、第１超音波振動子４８ａは第１ブラシ部材３０にその振動を伝え、第１ブラシ部材３０は回転ドラム２６と共に回転しながら被掃除面のゴミを振動させ被掃除面からのゴミを分離および遊動させる。なお、最小５００Ｈｚ以上の高周波振動が発生され、被掃除面からゴミが容易に分離されるだけでなく、被掃除面および第１ブラシ部材３０の殺菌も行う。
【００３３】
さらに、超音波発振部４６は第２超音波振動子４８ｂを振動させ、第２超音波振動子４８ｂは第２ブラシ部材３２を振動させる。そして、第２ブラシ部材３２は被掃除面のゴミを分離および遊動させる。なお、第２ブラシ部材３２は吸入口２４の前方に設けられ、吸入口組立相２０が進む時に第２ブラシ部材３２により予め分離および遊動されたゴミを吸入することができる。
【００３４】
一方、掃除作業が完了されればユーザは第１および第２ブラシ部材３０、３２を洗浄液などに浸し、第１および第２超音波振動子４８ａ、４８ｂを振動させる。すると、第１および第２ブラシ部材３２に取り付いているゴミは振動により第１および第２ブラシ部材３０，３２から容易に分離される。従って、ユーザが直接に手を使って第１および第２ブラシ部材３０、３２から分離させる必要がないため、便利性および衛生上の面において優れることが分かる。
【００３５】
本実施の形態においてはアップライト型真空掃除機について例示したが、本発明はキャニスタ型およびハンド掃除機などの様々な形態の掃除機に適用できる。
【産業上の利用可能性】
【００３６】
本発明は真空掃除機に関し、アップライト型およびキャニスタ型家庭用真空掃除機は勿論、産業用真空掃除機にも適用できる。
【図面の簡単な説明】
【００３７】
【図１】本発明の一実施形態に係るアップライト型真空掃除機を概略的に示した斜視図である。
【図２】図１のII−IIに沿って切開した断面図である。
【図３】本発明の一実施形態に係る超音波発生装置の構成を概略的に示したブロック図である。
【図４】図１に示された回転ドラムを概略的に示した部分破砕斜視図である。
【符号の説明】
【００３８】
１０  掃除機本体
１２  駆動源
１４  集塵室
２０  吸入口組立体
２２  ハウジング
２４  吸入口
２６  回転ドラム
３０  第１ブラシ部材
３２  第２ブラシ部材
４０  超音波発生装置
４６  超音波発振部
４８  超音波振動子
４８ａ、４８ｂ  第１および第２超音波振動子
【図１】
2006297050.tif 000003
【図２】
2006297050.tif 000004
【図３】
2006297050.tif 000005
【図４】
2006297050.tif 000006